(57)【要約】【課題】待機状態の消費電力を、マイクロコンピューターなどを備えた制御回路を動作させるための消費電力より小さくすることができないという課題がある。【解決手段】二次側回路における電圧変化を一次側回路における電流変化としてフィードバックさせて、直流定電圧を出力するＡＣ−ＤＣコンバーター２と、導通状態でＡＣ−ＤＣコンバーター２による直流定電圧ＶＣを出力する機能を無効にし、非導通状態でＡＣ−ＤＣコンバーター２による直流定電圧ＶＣを出力する機能を有効にする電界効果トランジスターＱ３０と、電話回線からの呼び出し信号を検出すると、電界効果トランジスターＱ３０を非導通状態にする呼び出し信号検出回路部３と、電界効果トランジスターＱ３０を非導通状態または導通状態にする電界効果トランジスターＱ４０と、を備える電源回路を提供する。【選択図】図１
2011061944.tif 000002
【特許請求の範囲】
【請求項１】
二次側回路における電圧変化を一次側回路における電流変化としてフィードバックさせて、前記二次側回路に接続された制御回路部に直流定電圧を出力する機能を有するＡＣ−ＤＣコンバーターと、
前記二次側回路に接続され、導通状態で前記ＡＣ−ＤＣコンバーターによる直流定電圧を出力する前記機能を無効にし、非導通状態で前記ＡＣ−ＤＣコンバーターによる直流定電圧を出力する前記機能を有効にする第１のトランジスターと、
電話回線からの呼び出し信号を検出すると、前記第１のトランジスターを前記非導通状態にする呼び出し信号検出回路部と、
前記制御回路部から閾値以上の電圧が印加されると、前記第１のトランジスターを前記非導通状態にし、前記閾値以上の電圧が印加されないと、前記第１のトランジスターを前記導通状態にする第２のトランジスターと、
を備えたことを特徴とする電源回路。
【請求項２】
画像データを印刷するための制御を行う印刷制御回路部と、
ファックスデータを受信または送信するための制御を行うファックス制御回路部と、
二次側回路における電圧変化を一次側回路における電流変化としてフィードバックさせて、前記二次側回路に接続された前記印刷制御回路部と前記ファックス制御回路部に直流定電圧を出力する機能を有するＡＣ−ＤＣコンバーターと、
前記二次側回路に接続され、導通状態で前記ＡＣ−ＤＣコンバーターによる直流定電圧を出力する前記機能を無効にし、非導通状態で前記ＡＣ−ＤＣコンバーターによる直流定電圧を出力する前記機能を有効にする第１のトランジスターと、
電話回線からの呼び出し信号を検出すると、前記第１のトランジスターを前記非導通状態にする呼び出し信号検出回路部と、
前記印刷制御回路部または前記ファックス制御回路部から閾値以上の電圧が印加されると、前記第１のトランジスターを前記非導通状態にし、前記閾値以上の電圧が印加されないと、前記第１のトランジスターを前記導通状態にする第２のトランジスターと、
を備えたことを特徴とする複合機。
【発明の詳細な説明】
【技術分野】
【０００１】
本発明は、電源回路、複合機に関するものである。
【背景技術】
【０００２】
ファクシミリ装置においては、電話回線から送信されたファックスデータをいつでも受信できるようにするため、常に電源がオンとなる待機状態にしなくてはならない。しかし、待機状態では、ファックスデータを受信したり、受信したファックスデータを印刷したりする期間以外でも電源をオンにしておくため、消費電力が無駄となる。そこで、特許文献１では、主電源が起動中に動作し、ファクシミリ装置を制御するＣＰＵの他に、二次電池または太陽電池で動作する主電源制御部を備え、この主電源制御部によって主電源を起動させたり停止させたりすることにより、消費電力を抑制するファクシミリ装置が提案されている。
【先行技術文献】
【特許文献】
【０００３】
【特許文献１】特開平７−１１５４８４号公報
【発明の概要】
【発明が解決しようとする課題】
【０００４】
しかしながら、このようなファクシミリ装置では、主電源制御部にマイクロコンピューターが内蔵されているため、マイクロコンピューターを動作させるための消費電力が必要となる。そのため、待機状態の消費電力を、マイクロコンピューターなどを備えた制御回路を動作させるための消費電力より小さくすることができないという課題がある。
【課題を解決するための手段】
【０００５】
本発明は、上述の課題の少なくとも一部を解決するためになされたものであり、以下の形態または適用例として実現することが可能である。
【０００６】
［適用例１］二次側回路における電圧変化を一次側回路における電流変化としてフィードバックさせて、前記二次側回路に接続された制御回路部に直流定電圧を出力する機能を有するＡＣ−ＤＣコンバーターと、前記二次側回路に接続され、導通状態で前記ＡＣ−ＤＣコンバーターによる直流定電圧を出力する前記機能を無効にし、非導通状態で前記ＡＣ−ＤＣコンバーターによる直流定電圧を出力する前記機能を有効にする第１のトランジスターと、電話回線からの呼び出し信号を検出すると、前記第１のトランジスターを前記非導通状態にする呼び出し信号検出回路部と、前記制御回路部から閾値以上の電圧が印加されると、前記第１のトランジスターを前記非導通状態にし、前記閾値以上の電圧が印加されないと、前記第１のトランジスターを前記導通状態にする第２のトランジスターと、を備えたことを特徴とする電源回路。
【０００７】
この構成によれば、二次側回路に接続され、導通状態でＡＣ−ＤＣコンバーターによる直流定電圧を出力する機能を無効にし、非導通状態でＡＣ−ＤＣコンバーターによる直流定電圧を出力する機能を有効にする第１のトランジスターと、電話回線からの呼び出し信号を検出すると、第１のトランジスターを非導通状態にする呼び出し信号検出回路部とを備える。これにより、待機状態で第１のトランジスターが導通状態にあるとき、ＡＣ−ＤＣコンバーターによる直流定電圧を出力する機能は無効となる。そして、呼び出し信号検出回路部が、電話回線からの呼び出し信号を検出すると、第１のトランジスターが非導通状態になり、ＡＣ−ＤＣコンバーターによる直流定電圧を出力する機能が有効になる。従って、マイクロコンピューターなどを備えた制御回路を用いることがないので、待機状態での消費電力を、制御回路を動作させるために必要な消費電力より小さくすることが可能となる。
【０００８】
［適用例２］画像データを印刷するための制御を行う印刷制御回路部と、ファックスデータを受信または送信するための制御を行うファックス制御回路部と、二次側回路における電圧変化を一次側回路における電流変化としてフィードバックさせて、前記二次側回路に接続された前記印刷制御回路部と前記ファックス制御回路部に直流定電圧を出力する機能を有するＡＣ−ＤＣコンバーターと、前記二次側回路に接続され、導通状態で前記ＡＣ−ＤＣコンバーターによる直流定電圧を出力する前記機能を無効にし、非導通状態で前記ＡＣ−ＤＣコンバーターによる直流定電圧を出力する前記機能を有効にする第１のトランジスターと、電話回線からの呼び出し信号を検出すると、前記第１のトランジスターを前記非導通状態にする呼び出し信号検出回路部と、前記印刷制御回路部または前記ファックス制御回路部から閾値以上の電圧が印加されると、前記第１のトランジスターを前記非導通状態にし、前記閾値以上の電圧が印加されないと、前記第１のトランジスターを前記導通状態にする第２のトランジスターと、を備えたことを特徴とする複合機。
【０００９】
この構成によれば、二次側回路に接続され、導通状態でＡＣ−ＤＣコンバーターによる印刷制御回路部とファックス制御回路部に直流定電圧を出力する機能を無効にし、非導通状態でＡＣ−ＤＣコンバーターによる直流定電圧を出力する機能を有効にする第１のトランジスターと、電話回線からの呼び出し信号を検出すると、第１のトランジスターを非導通状態にする呼び出し信号検出回路部とを備える。これにより、待機状態で第１のトランジスターが導通状態にあるとき、ＡＣ−ＤＣコンバーターによる直流定電圧を出力する機能は無効となる。そして、呼び出し信号検出回路部が、電話回線からの呼び出し信号を検出すると、第１のトランジスターが非導通状態になり、ＡＣ−ＤＣコンバーターによる直流定電圧を出力する機能が有効になる。従って、マイクロコンピューターなどを備えた制御回路を用いることがないので、待機状態での消費電力を、制御回路を動作させるために必要な消費電力より小さくすることが可能となる。
【図面の簡単な説明】
【００１０】
【図１】複合機の電気的な構成を示すブロック構成図。
【図２】電源回路の回路図。
【図３】複合機の電源がオンされてからスイッチが操作されるまでの電界効果トランジスターの動作を説明するタイムチャート。
【図４】複合機が待機状態で呼び出し信号を受信したときの電界効果トランジスターの動作を説明するタイムチャート。
【図５】第１のトランジスター、第２のトランジスター、呼び出し信号検出回路部を制御回路部に備えた複合機の電気的な構成を示すブロック構成図。
【発明を実施するための形態】
【００１１】
（実施例）
本実施例について、図を用いて説明する。図１は、本実施例における複合機１００の電気的な構成を示すブロック構成図である。
【００１２】
読取制御回路部１０６は、文字や画像が描かれた原稿（不図示）をイメージセンサー（不図示）によって読み取ることによってファックスデータとして取得する。ファックス制御回路部１０７は、インターフェイス１１０を介して、電話回線３００から入力されるファックスデータを受信したり、読取制御回路部１０６によって読み取った画像データを電話回線３００にファックスデータとして送信したりするための制御を行う。
【００１３】
印刷制御回路部１０５は、紙などの記録媒体を搬送する搬送部（不図示）の駆動や例えばインクを噴射する液体噴射ヘッド（不図示）などの駆動を制御することによって、記録媒体に文字や画像を印刷させる。
【００１４】
制御回路部１０８は、ＣＰＵ１０２、ＲＡＭ１０３、ＲＯＭ１０４、印刷制御回路部１０５、読取制御回路部１０６、ファックス制御回路部１０７を備え、ＣＰＵ１０２はＲＯＭ１０４に格納されたプログラムをＲＡＭ１０３に読み出して実行することにより、印刷制御回路部１０５、読取制御回路部１０６、ファックス制御回路部１０７を制御する。
【００１５】
複合機１００は、インターフェイス１０９を介してコンピューター２００から送信された画像データを印刷制御回路部１０５によって記録媒体に印刷するプリンター装置としての機能を有する。また、複合機１００は、読取制御回路部１０６によって読み取った画像データを、印刷制御回路部１０５によって記録媒体に印刷する複写装置としての機能を有する。また、複合機１００は、ファックス制御回路部１０７によって受信されたファックスデータを印刷制御回路部１０５によって記録媒体に印刷するファクシミリ装置としての機能を有する。従って、本実施例における複合機１００は、プリンター装置、複写装置、ファクシミリ装置としての複合機能を有する。
【００１６】
ＡＣ−ＤＣコンバーター２は、交流電源４００から入力される交流（ＡＣ（Ａｌｔｅｒｎａｔｉｎｇ  Ｃｕｒｒｅｎｔ））を変換し、制御回路部１０８に直流（ＤＣ（Ｄｉｒｅｃｔ  Ｃｕｒｒｅｎｔ））の定電圧を出力する。
【００１７】
第１のトランジスター４は、導通状態でＡＣ−ＤＣコンバーター２による直流定電圧を出力する機能を無効にし、非導通状態でＡＣ−ＤＣコンバーター２による直流定電圧を出力する機能を有効にする。
【００１８】
呼び出し信号検出回路部３は、インターフェイス１１０を介して電話回線３００から入力された呼び出し信号を検出すると、第１のトランジスター４を非導通状態にする。第１のトランジスター４が非導通状態になると、ＡＣ−ＤＣコンバーター２による直流定電圧を出力する機能が有効になる。
【００１９】
ＡＣ−ＤＣコンバーター２による直流定電圧を出力する機能が有効になると、印刷制御回路部１０５、読取制御回路部１０６、ファックス制御回路部１０７に直流定電圧が出力される。
【００２０】
ＡＳＩＣ１０１は、印刷制御回路部１０５に直流定電圧が入力されると、第２のトランジスター５を導通状態にする。第２のトランジスター５が導通状態になると、第１のトランジスター４が非導通状態になる。
【００２１】
第１のトランジスター４が非導通状態になると、ＡＣ−ＤＣコンバーター２による直流定電圧を出力する機能が有効になるので、ＡＣ−ＤＣコンバーター２によって、直流定電圧が制御回路部１０８に出力される。
【００２２】
ＡＳＩＣ１０１によって、第２のトランジスター５を導通状態にさせることにより、電話回線３００からの呼び出し信号が停止しても、第１のトランジスター４における非導通状態を継続することができる。第１のトランジスター４が非導通状態であると、ＡＣ−ＤＣコンバーター２による直流定電圧を出力する機能が有効であるので、ＡＣ−ＤＣコンバーター２は、制御回路部１０８に直流定電圧を継続して出力する。
【００２３】
印刷制御回路部１０５による印刷のための制御が終了すると、ＡＳＩＣ１０１は、第２のトランジスター５を非導通状態にする。すると、第１のトランジスター４が導通状態になり、ＡＣ−ＤＣコンバーター２による直流定電圧を出力する機能が無効となるので、ＡＣ−ＤＣコンバーター２によって、制御回路部１０８に直流定電圧が出力されない。
【００２４】
図２は、図１の電源回路１の回路図である。図１のＡＣ−ＤＣコンバーター２について説明する。ＡＣ−ＤＣコンバーター２には、図面左側の一次側回路における一次側電圧を、図面右側の二次側回路における二次側電圧に変圧するトランスＴＲが備えられる。
【００２５】
交流電源４００から供給される交流は、ブリッジ回路Ｂ１０によって整流され、電解コンデンサーＣ１０によって平滑される。トランスＴＲによって変圧された二次側電圧は、電解コンデンサーＣ２０によって平滑され、ダイオードＤ２０によって二次側回路には直流が流れる。
【００２６】
二次側回路には、フォトカプラＰＣ１を構成する発光素子としての発光ダイオードＤ２１が備えられる。発光ダイオードＤ２１のアノード側は、出力端子ＯＵＴに接続される。
【００２７】
二次側回路には、発光ダイオードＤ２１に流れる電流を制御する発光素子制御回路部２０が備えられる。本実施例の発光素子制御回路部２０は、出力電圧設定用抵抗Ｒ２０、出力電圧設定用抵抗Ｒ２１、シャントレギュレーターＺ２０、コンデンサーＣ２１とから構成される。
【００２８】
発光ダイオードＤ２１のカソード側は、シャントレギュレーターＺ２０のカソードＣ側に接続される。シャントレギュレーターＺ２０は、出力電圧設定用抵抗Ｒ２０と出力電圧設定用抵抗Ｒ２１によって分圧された位置Ｐ１における電圧が、基準電圧以上になると、カソードＣからアノードＡの方向に電流が流れる。本実施例の基準の電圧は、例えば２．４９５Ｖである。これにより、発光ダイオードＤ２１に電流Ｉ３が流れて発光ダイオードＤ２１は発光する。
【００２９】
発光ダイオードＤ２１から発光された光は、発光ダイオードＤ２１とともにフォトカプラＰＣ１を構成し、一次側回路に備えられたフォトトランジスターＱ１２によって受光され、フォトトランジスターＱ１２のコレクタ、エミッタ間にフィードバック電流Ｉ２が流れる。
【００３０】
一次側スイッチング制御回路部１０は、整流回路を構成するダイオードＤ１１、コンデンサーＣ１２と、フォトトランジスターＱ１２に流れる電流を制御する電流制限抵抗Ｒ１１、スイッチング制御用トランジスターＱ１１、スイッチングトランジスターＱ１０、スイッチングトランジスターＱ１０のベースに接続されるダイオードＤ１０、コンデンサーＣ１１とから構成される。
【００３１】
一次側スイッチング制御回路部１０は、フォトトランジスターＱ１２と接続され、フィードバック電流Ｉ２が流れると一次側回路における電流を減少させるように制御し、フィードバック電流Ｉ２が流れないと一次側回路における電流を増加させるように制御する。
【００３２】
ダイオードＤ１１、コンデンサーＣ１２から電流制限抵抗Ｒ１１、フォトトランジスターＱ１２を介してスイッチング制御用トランジスターＱ１１のベースにフィードバック電流Ｉ２が流れ、スイッチング制御用トランジスターＱ１１のコレクタ、エミッタ間が導通する。
【００３３】
これにより、並列のダイオードＤ１０、コンデンサーＣ１１に接続された、スイッチングトランジスターＱ１０のベース電流が分岐減少されるので、スイッチングトランジスターＱ１０のコレクタ、エミッタ間は、ベース電流の減少とベース電圧の低下により遮断に至る。その結果、トランスＴＲの流入電力が減少し、二次側回路における二次側電圧が低下する。
【００３４】
反対に、Ｐ１の位置の電圧が基準の電圧より低いとき、シャントレギュレーターＺ２０のカソードＣからアノードＡの方向に流れる電流は流れないので、発光ダイオードＤ２１は発光せず、フォトトランジスターＱ１２のコレクタ、エミッタ間は導通しない。そのため、一次側スイッチング制御回路部１０にフィードバック電流Ｉ２が流れない。
【００３５】
これにより、スイッチング制御用トランジスターＱ１１のベースにフィードバック電流Ｉ２が流れないので、スイッチング制御用トランジスターＱ１１のコレクタ、エミッタ間が導通しない。すると、スイッチングトランジスターＱ１０のベースに流れ込む電流が増加するので、スイッチングトランジスターＱ１０のコレクタ、エミッタ間が導通する。その結果、トランスＴＲの流入電力が増加し、二次側回路における二次側電圧が高くなる。
【００３６】
このように、電源回路１におけるＡＣ−ＤＣコンバーター２は、二次側回路に備えられた発光ダイオードＤ２１と一次側回路に備えられたフォトトランジスターＱ１２とから構成されるフォトカプラＰＣ１と、二次側電圧に応じて発光ダイオードＤ２１を流れる電流を制御する発光素子制御回路部２０と、フォトトランジスターＱ１２に流れるフィードバック電流Ｉ２に応じて、一次側回路に流れる電流Ｉ１を制御する一次側スイッチング制御回路部１０を備える。
【００３７】
これらの構成により、ＡＣ−ＤＣコンバーター２は、二次側回路における電圧変化を一次側回路におけるフィードバック電流Ｉ２の変化としてフィードバックさせて、二次側回路の出力端子ＯＵＴ、ＧＮＤ間に一定の電圧である直流定電圧を出力する。本実施例では、出力端子ＯＵＴ、ＧＮＤ間には、例えば４２Ｖの直流定電圧が出力される。
【００３８】
次に、第１のトランジスター４としての電界効果トランジスターＱ３０について説明する。電界効果トランジスターＱ３０のドレインは、抵抗Ｒ３０を介して発光ダイオードＤ２１のカソードとシャントレギュレーターＺ２０のカソードＣとに接続される。
【００３９】
電界効果トランジスターＱ３０が導通状態にあると、シャントレギュレーターＺ２０によって位置Ｐ１における電圧を比較することなく、電流Ｉ３が発光ダイオードＤ２１、抵抗Ｒ３０、電界効果トランジスターＱ３０を流れる。
【００４０】
発光ダイオードＤ２１に電流Ｉ３が流れると、フォトトランジスターＱ１２にフィードバック電流Ｉ２が流れ、一次側回路に流れる電流Ｉ１が抑制される。そのため、二次側回路には、ＡＣ−ＤＣコンバーター２で設定される直流定電圧は出力されない。
【００４１】
電界効果トランジスターＱ３０が導通状態にあるとき、二次側回路における出力端子ＯＵＴには、発光ダイオードＤ２１における順方向電圧と抵抗Ｒ３０における電圧降下分と電界効果トランジスターＱ３０のソース、ドレイン間の電圧とが加算された電圧が出力される。本実施例の電源回路１における出力端子ＯＵＴ、ＧＮＤ間には３Ｖの電圧が出力される。このように、電界効果トランジスターＱ３０が導通状態にあるとき、ＡＣ−ＤＣコンバーター２による直流定電圧を出力する機能が無効となる。
【００４２】
電界効果トランジスターＱ３０が非導通状態にあるときは、シャントレギュレーターＺ２０によって位置Ｐ１における電圧を比較され、電流Ｉ３が発光ダイオードＤ２１を流れ、フィードバック電流Ｉ２としてフィードバックされ、一次側回路に流れる電流Ｉ１の大きさが制御され、二次側回路に直流定電圧が出力される。すなわち、ＡＣ−ＤＣコンバーター２による直流定電圧を出力する機能が有効となり、出力端子ＯＵＴ、ＧＮＤ間には、直流定電圧が出力される。
【００４３】
電界効果トランジスターＱ３０のゲートには、第２のトランジスター５としての電界効果トランジスターＱ４０のドレインが接続される。電界効果トランジスターＱ４０のドレインは、抵抗Ｒ４０を介して出力端子ＯＵＴに接続され、ソースは接地される。
【００４４】
電界効果トランジスターＱ４０が導通状態にあるとき、電界効果トランジスターＱ３０のゲート電圧が、電界効果トランジスターＱ３０が導通するための閾値以下となるので、電界効果トランジスターＱ３０は非導通状態となる。
【００４５】
反対に、電界効果トランジスターＱ４０が非導通状態にあるとき、電界効果トランジスターＱ３０のゲート電圧が、電界効果トランジスターＱ３０が導通するための閾値以上となるので、電界効果トランジスターＱ３０は導通状態となる。
【００４６】
スイッチＳＷ１によって、電界効果トランジスターＱ４０のゲートに、端子ＶＢＵＳと直列に接続された抵抗Ｒ４１、Ｒ４２の分圧を印加するかしないかを制御し、電界効果トランジスターＱ４０を導通状態にするか非導通状態にするかを制御することができる。
【００４７】
端子ＥＮＡＢＬＥに、図１のＡＳＩＣ１０１からの電圧が印加されるかしないかによって、電界効果トランジスターＱ４０を導通状態にするか非導通状態にするかを制御することができる。前述したように、ＡＳＩＣ１０１は、ＡＣ−ＤＣコンバーター２からの直流定電圧が印刷制御回路部１０５に入力されたことを取得すると、端子ＥＮＡＢＬＥに電圧を印加する。ＡＳＩＣ１０１は、印刷制御回路部１０５から印刷が終了したことを取得すると、端子ＥＮＡＢＬＥに電圧を印加しない。
【００４８】
端子ＥＮＡＢＬＥに電圧が印加されると、電界効果トランジスターＱ４０は導通状態になり、電界効果トランジスターＱ３０は非導通状態になるので、ＡＣ−ＤＣコンバーター２の機能は有効となり、直流定電圧が出力される。反対に、端子ＥＮＡＢＬＥに電圧が印加されないと、電界効果トランジスターＱ４０は非導通状態になり、電界効果トランジスターＱ３０は導通状態になるので、ＡＣ−ＤＣコンバーター２の機能は無効となり、ＡＣ−ＤＣコンバーター２により設定される直流定電圧は出力されない。
【００４９】
次に、呼び出し信号検出回路部３について説明する。呼び出し信号検出回路部３には、発光ダイオードＤ５０とフォトトランジスターＱ５０とで構成されるフォトカプラＰＣ２と、発光ダイオードＤ５１とフォトトランジスターＱ５１とで構成されるフォトカプラＰＣ３が備えられる。
【００５０】
発光ダイオードＤ５０、Ｄ５１およびフォトトランジスターＱ５０、Ｑ５１は、それぞれ直列に接続される。フォトトランジスターＱ５０のソースは、抵抗Ｒ５０を介して、図１のファックス制御回路部１０７に接続される。
【００５１】
呼び出し信号検出回路部３には、発光ダイオードＤ５０、Ｄ５１と並列で順方向の向きが異なるダイオードＤ５２、Ｄ５３がそれぞれ接続される。
【００５２】
待機状態では、端子ＴＩＰと端子ＲＩＮＧ間には、直流電圧（例えば１００Ｖ）が印加されている。呼び出し時には、直流電圧の直流成分に交流成分（例えば１００Ｖ、５０ＨZ）が重畳される。直流成分はコンデンサーＣ５０を通過しないが、交流成分はコンデンサーＣ５０を通過するので、発光ダイオードＤ５０、Ｄ５１、ダイオードＤ５２、Ｄ５３を交流成分が流れる。
【００５３】
発光ダイオードＤ５０に電流が流れると、フォトトランジスターＱ５０が動作し、フォトトランジスターＱ５０と図１のファックス制御回路部１０７に接続された抵抗Ｒ５０に電流が流れる。
【００５４】
発光ダイオードＤ５１に電流が流れると、フォトトランジスターＱ５１が動作する。すると、フォトトランジスターＱ５１のコレクタと電界効果トランジスターＱ３０のゲートとが接続されているので、電界効果トランジスターＱ３０のゲート電圧は、電界効果トランジスターＱ３０を動作させるための閾値以下となり、電界効果トランジスターＱ３０は非導通状態になる。すると、ＡＣ−ＤＣコンバーター２の機能は有効となり、直流定電圧が出力される。
【００５５】
次に、電界効果トランジスターＱ３０と電界効果トランジスターＱ４０の動作について、タイムチャートを用いて説明する。図３（ａ）〜（ｇ）は、複合機１００の電源がオンされてからスイッチＳＷ１が操作されるまでの電界効果トランジスターＱ３０と電界効果トランジスターＱ４０の動作を説明するタイムチャートである。
【００５６】
図３（ａ）は、複合機１００に交流電源４００からの交流電圧が入力されているか（ＯＮ）、入力されていないか（ＯＦＦ）を示す図である。時点ｔ１で、複合機１００に交流電源４００からの交流電圧が入力される。
【００５７】
図３（ｂ）は、図２のＡＣ−ＤＣコンバーター２の出力端子ＯＵＴ、ＧＮＤ間に出力される二次側回路における直流電圧のグラフである。図３（ｃ）は、電界効果トランジスターＱ３０のゲート電圧のグラフである。図３（ｄ）は、電界効果トランジスターＱ３０における導通状態（ＯＮ）または非導通状態（ＯＦＦ）を示す図である。
【００５８】
時点ｔ１で、交流電圧が入力されると、二次側出力電圧が上昇するので、図３（ｃ）の電界効果トランジスターＱ３０のゲート電圧は上昇し、時点ｔ２で、電界効果トランジスターＱ３０が動作するためのゲート電圧の閾値Ｖ１に達する。すると、時点ｔ２で、図３（ｄ）の電界効果トランジスターＱ３０は、非導通状態から導通状態になる。
【００５９】
時点ｔ１で、交流電圧が入力されると、図３（ｂ）の直流電圧は上昇する。しかし、時点ｔ２で、図３（ｄ）の電界効果トランジスターＱ３０が、非導通状態から導通状態になるため、ＡＣ−ＤＣコンバーター２の直流定電圧を出力する機能は無効となる。そのため、図３（ｂ）の直流電圧は、直流定電圧ＶＣより低い直流電圧ＶＬとなり、ＡＣ−ＤＣコンバーター２は待機状態にある。
【００６０】
図３（ｅ）は、図２のスイッチＳＷ１によって、端子ＶＢＵＳと電界効果トランジスターＱ４０のゲート間を、抵抗Ｒ４１を介して接続したか（ＯＮ）、接続しないか（ＯＦＦ）を示す図である。図３（ｆ）は、電界効果トランジスターＱ４０のゲート電圧のグラフである。図３（ｇ）は、電界効果トランジスターＱ４０における導通状態（ＯＮ）または非導通状態（ＯＦＦ）を示す図である。
【００６１】
時点ｔ３で、スイッチＳＷ１によって、端子ＶＢＵＳと電界効果トランジスターＱ４０のゲート間を接続すると、図３（ｆ）の電界効果トランジスターＱ４０のゲート電圧は、電界効果トランジスターＱ４０が動作するためのゲート電圧の閾値Ｖ２になる。すると、時点ｔ３で、図３（ｇ）の電界効果トランジスターＱ４０は、非導通状態から導通状態になる。
【００６２】
図３（ｇ）の電界効果トランジスターＱ４０が、時点ｔ３で導通状態になると、図３（ｄ）の電界効果トランジスターＱ３０は非導通状態になる。そのため、ＡＣ−ＤＣコンバーター２の直流定電圧を出力する機能は有効となり、図３（ｂ）の直流電圧は上昇し、時点ｔ４で、直流定電圧ＶＣを出力する。
【００６３】
次に、複合機１００の電源がオンされてから待機状態にあるとき、呼び出し信号を受信したときの電界効果トランジスターＱ３０と電界効果トランジスターＱ４０の動作を説明する。
【００６４】
図４（ａ）〜（ｊ）は、複合機１００が待機状態で呼び出し信号を受信したときの電界効果トランジスターＱ３０と電界効果トランジスターＱ４０の動作を説明するタイムチャートである。
【００６５】
図３（ａ）〜（ｄ）と同様に、図４（ａ）は、複合機１００に交流電源４００からの交流電圧が入力されているか（ＯＮ）、入力されていないか（ＯＦＦ）を示す図である。図４（ｂ）は、図２のＡＣ−ＤＣコンバーター２の出力端子ＯＵＴ、ＧＮＤ間に出力される二次側回路における直流電圧のグラフである。図４（ｃ）は、電界効果トランジスターＱ３０のゲート電圧のグラフである。図４（ｄ）は、電界効果トランジスターＱ３０における導通状態（ＯＮ）または非導通状態（ＯＦＦ）を示す図である。
【００６６】
図３を用いて説明したように、時点ｔ１で、交流電圧が入力されると、図４（ｂ）の直流電圧は上昇し、時点ｔ２で、図４（ｃ）の電界効果トランジスターＱ３０のゲート電圧が閾値Ｖ１に達し、図４（ｄ）の電界効果トランジスターＱ３０は、非導通状態から導通状態になるため、ＡＣ−ＤＣコンバーター２の直流定電圧を出力する機能は無効となる。そのため、図４（ｂ）の直流電圧は、直流定電圧ＶＣより低い直流電圧ＶＬとなり、ＡＣ−ＤＣコンバーター２は待機状態となる。
【００６７】
図４（ｅ）は、呼び出し信号検出回路部３が呼び出し信号を受信しているとき（ＯＮ）または、していないとき（ＯＦＦ）を示す図である。図４（ｆ）は、図２のフォトトランジスターＱ５１における導通状態（ＯＮ）または非導通状態（ＯＦＦ）を示す図である。
【００６８】
時点ｔ１３で、図１の呼び出し信号検出回路部３が呼び出し信号を受信すると、フォトトランジスターＱ５１は導通状態となる。すると、図４（ｃ）の電界効果トランジスターＱ３０のゲート電圧は、電界効果トランジスターＱ３０を動作するためのゲート電圧の閾値Ｖ１以下となり、図４（ｄ）の電界効果トランジスターＱ３０は、非導通状態となる。
【００６９】
すると、ＡＣ−ＤＣコンバーター２の直流定電圧を出力する機能は有効となるため、図４（ｂ）の直流電圧は上昇し、時点ｔ１４で直流定電圧ＶＣとなる。
【００７０】
図４（ｇ）は、図１のＡＳＩＣ１０１から図２の端子ＥＮＡＢＬＥに電源制御信号による電圧が印加されているか（ＨＩＧＨ）印加されていないか（ＬＯＷ）を示す図である。図４（ｈ）は、電界効果トランジスターＱ４０のゲート電圧のグラフである。図４（ｉ）は、電界効果トランジスターＱ４０における導通状態（ＯＮ）または非導通状態（ＯＦＦ）を示す図である。図４（ｊ）は、印刷制御回路部１０５が印刷を行っているか、またはファックス制御回路部１０７がファックスデータの受信を行っているか（ＯＮ）、印刷制御回路部１０５による印刷、またはファックス制御回路部１０７によるファックスデータの受信を行っていないか（ＯＦＦ）を示す図である。
【００７１】
時点ｔ１４で、図４（ｂ）の直流電圧が直流定電圧ＶＣになり、制御回路部１０８に直流定電圧ＶＣが入力されると、図１のＡＳＩＣ１０１からＨＩＧＨとしての電源制御信号が端子ＥＮＡＢＬＥに印加され、図４（ｇ）の端子ＥＮＡＢＬＥがＨＩＧＨになる。すると、図４（ｈ）の電界効果トランジスターＱ４０のゲート電圧は、電界効果トランジスターＱ４０を導通するためのゲート電圧が閾値Ｖ２以上になり、図４（ｉ）の電界効果トランジスターＱ４０は導通状態になる。
【００７２】
電界効果トランジスターＱ４０が導通状態であると、電界効果トランジスターＱ３０は非導通状態にある。そのため、ＡＣ−ＤＣコンバーター２の直流定電圧を出力する機能は有効となり、図４（ｂ）の直流電圧は直流定電圧ＶＣとなる。時点ｔ１５で、図４（ｅ）の呼び出し信号が停止し、フォトトランジスターＱ５１が非導通状態になっても、図４（ｇ）の端子ＥＮＡＢＬＥにおける電圧がＨＩＧＨであるため、電界効果トランジスターＱ４０は導通状態のままであり、電界効果トランジスターＱ３０は非導通状態のままであり、図４（ｂ）の直流定電圧ＶＣはそのまま維持される。
【００７３】
時点ｔ１６では、ＡＳＩＣ１０１は、印刷制御回路部１０５から印刷が終了したことを取得し、図４（ｇ）の端子ＥＮＡＢＬＥにＬＯＷの信号を出力する。すると、図４（ｈ）の電界効果トランジスターＱ４０のゲート電圧は、閾値Ｖ２以下となり、図４（ｉ）の電界効果トランジスターＱ４０は非導通状態になる。
【００７４】
時点ｔ１６で、電界効果トランジスターＱ４０は非導通状態になると、図４（ｃ）の電界効果トランジスターＱ３０のゲート電圧は上昇し、時点ｔ１７で、電界効果トランジスターＱ４０が導通するためのゲート電圧の閾値Ｖ１に達する。
【００７５】
すると、図４（ｄ）の電界効果トランジスターＱ３０は、導通状態となり、ＡＣ−ＤＣコンバーター２の直流定電圧を出力する機能は有効となり、時点ｔ１８で、図４（ｂ）の直流電圧は直流電圧ＶＬとなる。
【００７６】
以上、本実施例における複合機１００の電源回路１は、二次側回路における電圧変化を一次側回路における電流変化としてフィードバックさせて、二次側回路に接続された制御回路部１０８を構成する印刷制御回路部１０５、読取制御回路部１０６、ファックス制御回路部１０７に直流定電圧を出力するＡＣ−ＤＣコンバーター２と、二次側回路に接続され、導通状態でＡＣ−ＤＣコンバーター２による直流定電圧ＶＣを出力する機能を無効にし、非導通状態でＡＣ−ＤＣコンバーター２による直流定電圧ＶＣを出力する機能を有効にする第１のトランジスター４としての電界効果トランジスターＱ３０と、電話回線からの呼び出し信号を検出すると、電界効果トランジスターＱ３０を非導通状態にする呼び出し信号検出回路部３と、制御回路部１０８に備えられたＡＳＩＣ１０１から閾値Ｖ１以上の電圧が印加されると、電界効果トランジスターＱ３０を非導通状態にし、閾値Ｖ１以上の電圧が印加されないと、電界効果トランジスターＱ３０を導通状態にする第２のトランジスター５としての電界効果トランジスターＱ４０と、を備える。
【００７７】
この構成によれば、待機状態で電界効果トランジスターＱ３０が導通状態にあるとき、ＡＣ−ＤＣコンバーター２による直流定電圧ＶＣを出力する機能は無効となる。そして、呼び出し信号検出回路部３が、電話回線３００からの呼び出し信号を検出すると、電界効果トランジスターＱ３０が非導通状態になり、ＡＣ−ＤＣコンバーター２による直流定電圧ＶＣを出力する機能が有効になる。従って、マイクロコンピューターなどを備えた制御回路を用いることがないので、待機状態での消費電力を、制御回路を動作させるために必要な消費電力より小さくすることが可能となる。
【００７８】
本実施例の第１のトランジスターと第２のトランジスターは、電界効果トランジスターを用いたが、バイポーラトランジスターを用いてもよい。
【００７９】
また、本実施例における一次側スイッチング制御回路部１０は、整流回路を構成するダイオードＤ１１、コンデンサーＣ１２と、フォトトランジスターＱ１２に流れる電流を制御する電流制限抵抗Ｒ１１、スイッチング制御用トランジスターＱ１１、スイッチングトランジスターＱ１０、スイッチングトランジスターＱ１０のベースに接続されるダイオードＤ１０、コンデンサーＣ１１とから構成したが、一次側回路にトランジスター（不図示）とスイッチングレギュレーター（不図示）を備え、スイッチングレギュレーターによってトランジスターをスイッチングさせて一次側電流を制御するようにしてもよい。
【００８０】
図５は、第１のトランジスター４、第２のトランジスター５、呼び出し信号検出回路部３を制御回路部１０８に備えた複合機１００ａの電気的な構成を示すブロック構成図である。本実施例では、図１の第１のトランジスター４、第２のトランジスター５、呼び出し信号検出回路部３は、電源回路１に備えられたが、図５に示すように、第１のトランジスター４、第２のトランジスター５、呼び出し信号検出回路部３を制御回路部１０８に備えてもよい。
【符号の説明】
【００８１】
１…電源回路、２…ＡＣ−ＤＣコンバーター、３…呼び出し信号検出回路部、１００，１００ａ…複合機、１０５…印刷制御回路部、１０６…読取制御回路部、１０７…ファックス制御回路部、１０８…制御回路部、Ｑ３０…電界効果トランジスター、Ｑ４０…電界効果トランジスター、Ｖ２…閾値、ＶＣ…直流定電圧。
【図１】
2011061944.tif 000003
【図２】
2011061944.tif 000004
【図３】
2011061944.tif 000005
【図４】
2011061944.tif 000006
【図５】
2011061944.tif 000007